(57)【要約】【課題】  簡単な構成とし組み立てができるとともに、インナーケーブルの座屈を防止し得る排水栓構造を提供することを目的とする。【解決手段】  アウターケーシングの端部には、軸方向にインナーケーブルが摺動自在な貫通孔を有するアウターキャップを有し、インナーケーブルはアウターキャップより先端方向に延出され、排水栓は前記ピンと接続するピン接続部を有し、ピンは軸方向にインナーケーブルを収容して接続するインナーケーブル収容部を有し、開閉操作において、アウターキャップより延出したインナーケーブルの外側には、少なくとも一部が前記インナーケーブル収容部においてインナーケーブルとピンとの間に介在し、アウターキャップの先端からピンの基端までの間のインナーケーブルを覆うようにインナーケーブルの外周に同軸となるように配置され、インナーケーブルの座屈を防止可能な筒状弾性体を備えた排水栓構造。【選択図】図１
2012012832.tif 000002
【特許請求の範囲】
【請求項１】
排水栓と、前記排水栓を開閉作動させるピンと、インナーケーブルとアウターケーシングとを有し、前記排水栓の開閉操作の操作力を前記ピンに伝達する遠隔操作用ケーブルを備えた排水栓構造であって、
前記アウターケーシングの端部には、軸方向に前記インナーケーブルが摺動自在な貫通孔を有するアウターキャップを有し、
前記インナーケーブルは前記アウターキャップより先端方向に延出され、
前記排水栓は前記ピンと接続するピン接続部を有し、
前記ピンは軸方向に前記インナーケーブルを収容して接続するインナーケーブル収容部を有し、
前記開閉操作において、前記アウターキャップより延出したインナーケーブルの外側には、少なくとも一部が前記インナーケーブル収容部においてインナーケーブルとピンとの間に介在し、前記アウターキャップの先端から前記ピンの基端までの間のインナーケーブルを覆うようにインナーケーブルの外周に同軸となるように配置され、インナーケーブルの座屈を防止可能な筒状弾性体を備えた
排水栓構造。
【請求項２】
前記筒状弾性体がコイルバネである請求項１に記載の排水栓構造。
【請求項３】
前記筒状弾性体は、外径が前記インナーケーブル収容部において前記ピンが摺動可能な径であり、内径が前記インナーケーブルが摺動可能であって、前記筒状弾性体と前記インナーケーブルの間隔が前記インナーケーブルの座屈を生じることが可能な間隔未満となる大きさである請求項１または２に記載の排水栓構造。
【請求項４】
前記インナーケーブルは、前記操作力を伝達可能な金属製撚線であり、
前記アウターケーシングは、円筒状の本体の内部に本体の軸と平行な金属線が埋設された請求項１〜３のいずれかに記載の排水栓構造。
【発明の詳細な説明】
【技術分野】
【０００１】
本発明は、遠隔操作にて開閉される排水栓において、前記排水栓に外部からの衝撃又は荷重による影響を軽減することができる排水栓構造に関する。
【背景技術】
【０００２】
図３は従来の排水栓構造の概略断面図である。図３に示す排水栓構造Ｂは、浴槽の底面部等に配置されるものである。図３に示す従来の排水栓構造Ｂは、排水栓９１と、排水栓９１と接続したピン９４と、ピン９４を押すインナーケーブル９２２と、インナーケーブル９２２を保護するアウターケーシング９２１とを備えている。また、ピン９４はアウターケーシング９２１の端部に固定されたアウターキャップ９３に摺動可能に支持されている。インナーケーブル９２２とピン９４とが接続され、ピン９４がインナーケーブル９２２に押し上げられると、ピン９４と接続している排水栓９１も押し上げられ、開状態となる。
【０００３】
排水栓構造Ｂにおいて、開状態のとき、使用者が誤って踏んでしまったり、シャンプーボトルのような重い物体を落下させてしまったりして、排水栓９１に荷重や衝撃による閉方向の力Ｆ３が加わると、インナーケーブル９２２にはインナーケーブル９２２を湾曲させようとする力が作用する。
【０００４】
排水栓構造Ｂが開状態のとき、アウターケーシング９２１の先端とピン９４の下端との間は、インナーケーブル９２２が露出した状態、つまり、インナーケーブル９２２が支持されていない状態となっている。インナーケーブル９２２の露出した部分は、作用された力に対抗する部材がないので、容易に湾曲する。そのため、図３に示しているように、インナーケーブル９２２の湾曲が進むと排水栓構造Ｂの内部で座屈してしまう。インナーケーブル９２２は、排水栓構造Ｂの内部で座屈した場合には座屈部分で塑性変形するので、インナーケーブル９２２がアウターケーシング９２１の内部に引き込まれにくくなり、排水栓などによる噛み込みを生じる場合がある。
【０００５】
そこで、排水栓に荷重や衝撃が作用した場合のインナーケーブルの座屈を抑制する排水栓装置が特許文献１に記載されている。特許文献１に記載の排水栓装置は、レリースワイヤを用いて操作部を遠隔操作する装置である。この排水栓装置は、コアコイル（本発明のインナーケーブルに相当）がアウターチューブ（本発明のアウターケーシングに相当）に締結されたプランジャガイドでガイドされている。また、排水栓と接続するプランジャ軸（本発明のピンに相当）と前記コアコイルの端部と嵌着するショックアブソーバ押えとの間にショックアブソーバスプリングを配置し、プランジャ軸に作用する衝撃力及び荷重（排水栓に作用する衝撃力及び荷重）をショックアブソーバスプリングの弾性力で緩衝している。
【０００６】
この排水栓装置によると、衝撃力をショックアブソーバスプリングで緩衝しているとともに、前記コアコイルの外周を覆っている前記プランジャガイドが前記コアコイルを湾曲しないように支持しており、前記コアコイルの座屈が防止される。これにより、前記コアコイルの座屈によって、排水栓装置の開閉が困難になったり、不可能になったりする不具合を抑制できる。
【先行技術文献】
【特許文献】
【０００７】
【特許文献１】特開２００８−２２３４５３号公報
【発明の概要】
【発明が解決しようとする課題】
【０００８】
しかし、特許文献１に記載の排水栓装置では、座屈防止が可能であるものの、前記排水栓の開閉を行う作動部の構成部材が多く、重量が重くなるので、操作部の操作に対する動作が悪くなる場合がある。また、摺動部材が多く、各摺動部材の加工精度、組み立て時の部材同士の位置精度に高い精度が要求される。すなわち、構成部材が多いうえに、高い加工精度及び組み立て精度が要求されるので、加工、組み立てに特殊な装置や技術が必要であったり、手間や時間が多く必要となる。
【０００９】
また、前記コアコイルが前記プランジャガイドに外嵌されているので、前記コアコイルは前記プランジャガイド内部では湾曲しない。しかしながら、前記プランジャガイドは前記コアコイルを湾曲させる力を分散させているわけではないので、前記コアコイルを湾曲させる力は前記プランジャ軸内部と前記コアコイルとの間に隙間がある部分に集中する。これにより、前記コアコイルが前記プランジャ内部で湾曲し、座屈してしまうことがある。前記コアコイルがプランジャ内部で座屈してしまうと、前記コアコイルが前記プランジャガイドの内部に引き込まれなくなってしまい、前記排水栓装置が閉じなくなる不具合が発生する。
【００１０】
そこで本発明は、簡単な構成とし組み立てができるとともに、インナーケーブルの座屈を防止し得る排水栓構造を提供することを目的とする。
【課題を解決するための手段】
【００１１】
上記目的を達成するために本発明は、排水栓と、前記排水栓を開閉作動させるピンと、インナーケーブルと、アウターケーシングとを有し、前記排水栓の開閉操作の操作力を前記ピンに伝達する遠隔操作用ケーブルを備えた排水栓構造であって、前記アウターケーシングの端部には、軸方向に前記インナーケーブルが摺動自在な貫通孔を有するアウターキャップを有し、前記インナーケーブルは前記アウターキャップより先端方向に延出され、前記排水栓は前記ピンと接続するピン接続部を有し、前記ピンは軸方向において前記インナーケーブルを収容して接続するインナーケーブル収容部を有し、前記開閉操作において、前記アウターキャップより延出した前記インナーケーブルの外側には、少なくとも一部が前記インナーケーブル収容部において前記インナーケーブルと前記ピンとの間に介在し、前記アウターキャップの先端から前記ピンの基端までの間の前記インナーケーブルを覆うように前記インナーケーブルの外周に同軸となるように配置され、前記インナーケーブルの座屈を防止可能な筒状弾性体を備えたことを特徴とする。
【発明の効果】
【００１２】
（１）本発明によると、インナーケーブルの外周に前記インナーケーブルと同軸となるように筒状弾性体を外嵌することで、前記インナーケーブルに圧縮力が作用して座屈（湾曲）しようとしても、前記筒状弾性体が弾性力で復元することができるため、前記インナーケーブルの座屈を防止することが可能である。しかも、前記筒状弾性体はピンの摺動を内面側からガイドするガイド部材としても機能するので、特許文献１のプランジャガイドのような衝撃を吸収する弾性体（ショックアブソーバスプリング）とは別体のガイドを設ける必要がない。これにより、簡単な構成でインナーケーブルの座屈を防止することが可能である。しかも、本発明を用いることにより、部品点数も少なく組み立ても簡単であり、しかも排水栓にかかる力によるインナーケーブルの座屈を防止できるので、簡単に長期間にわたり、開閉動作を安定して行うことができる。
【００１３】
（２）前記筒状弾性体がコイルバネである場合、衝撃に抗し得る筒状弾性体を容易に得ることが可能である。
【００１４】
（３）前記筒状弾性体が、外径が前記インナーケーブル収容部において前記ピンが摺動可能な径であり、内径が前記インナーケーブルが摺動可能であって、前記筒状弾性体と前記インナーケーブルの間隔が前記インナーケーブルの座屈を生じることが可能な間隔未満となる大きさである場合、前記筒状弾性体が、前記ピンと摺動でき、座屈をするための湾曲をした際に、前記インナーケーブルが前記筒状弾性体と接触するので、座屈を防止することができる。また、前記排水栓の開閉を安定して行うこともできる。
【００１５】
（４）前記インナーケーブルが、前記操作力を伝達可能な金属製撚線であり、前記アウターケーシングが、円筒状の本体の内部に本体の軸と平行な金属線が埋設されている場合、前記インナーケーブルにより操作力を容易に伝達することができる。しかも、前記インナーケーブルに与えられた衝撃が前記アウターケーシングに与えられても、前記アウターケーシングが伸びたり、前記インナーケーブルが前記アウターケーシングの内部で座屈を生じたりすることがない。
【図面の簡単な説明】
【００１６】
【図１】本発明にかかる排水栓構造の一例の概略断面図である。
【図２】図１に示す排水栓構造の要部を拡大した拡大断面図である。
【図３】従来の排水栓構造の概略断面図である。
【発明を実施するための形態】
【００１７】
以下に本発明の実施形態を図面を参照して説明する。図１は本発明にかかる排水栓構造の一例の概略断面図である。図１に示す排水栓構造Ａは、浴槽の底面部に取り付けられ、浴槽内の水の流れを制御するものである。図１に示す排水栓構造Ａは、排水栓１と、遠隔操作部（不図示）からの操作を排水栓１に伝達し、排水栓１を開閉する遠隔操作用ケーブル２とを備えている。なお、図１は排水栓１が開いた状態の排水栓構造Ａを示している。
【００１８】
遠隔操作用ケーブル２は遠隔操作部からの操作（操作力）を機械的に排水栓１に伝達する。遠隔操作用ケーブル２は、筒状のアウターケーシング２１と、アウターケーシング２１の内部に、軸方向に摺動可能に配置されたインナーケーブル２２とを備えている。アウターケーシング２１は、円筒状の本体の内部に、本体の軸に沿って複数本の金属線を埋設した構造となっている。アウターケーシング２１は金属線で補強されているので、伸びや座屈に対して強い構造となっている。また、インナーケーブル２２は複数本の金属線を撚った撚線であり、軸方向の力を容易に伝達できる構造である。アウターケーシング２１の端部には、インナーケーブル２２が軸方向に摺動自在に貫通するアウターキャップ３が取り付けられている。
【００１９】
アウターキャップ３は、アウターケーシング２１の端部を固定するアウターケーシング固定部３１と、インナーケーブル２２が摺動可能に貫通するインナーケーブル貫通孔３２と、後述するピン４が軸方向に伸縮可能に配置される筒状のピンガイド部３３とを備えている。なお、アウターケーシング固定部３１、インナーケーブル貫通孔３２及びピンガイド部３３の中心軸はアウターキャップ３自体の中心軸と一致するように、隣り合って配置されている。
【００２０】
アウターキャップ３のピンガイド部３３に配置されるピン４は先端部が閉じた円筒形状であり、インナーケーブル２２の先端が収容されるインナーケーブル収容部４１を備えている。ピンガイド部３３にピン４が配置されている状態のとき、インナーケーブル貫通孔３２を貫通したインナーケーブル２２の先端が、インナーケーブル収容部４１に収容されている。そして、インナーケーブル２２のインナーケーブル貫通孔３２より延出している部分にはコイルバネ５が外嵌されている。
【００２１】
コイルバネ５は筒状弾性体の一例であり、図１に示しているように、コイルバネ５は弾性力のある鋼線を隣同士密着するように密に巻いたばねである。コイルバネ５の内径がインナーケーブル２２の外径よりも大きく形成されている。また、コイルバネ５の外径がインナーケーブル収容部４１の内径よりも小さく形成されている。図１においては、コイルバネ５は、排水栓１が開状態のとき、排水栓１側（図中上側）の約半分がピン４のインナーケーブル収容部４１の内部にインナーケーブル２２とともに収容されている。
【００２２】
また、排水栓１が開閉動作をするとき、コイルバネ５はピン４の摺動をガイドする機能も果たしている。そして、コイルバネ５の全長は、排水栓１が閉状態になったとき、排水栓１がしっかり閉じるように、排水栓１側の端部（図中上端部）がピン４の奥と接触しない長さである。なお、排水栓１及びピン４は閉状態から開状態になるとき、インナーケーブル２２に押し上げられ、反対に、開状態から閉状態になるときは自重で移動する。排水栓１及びピン４の動作の詳細については後述する。
【００２３】
アウターケーシング２１の先端に取り付けられたアウターキャップ３は、ピン４がケーブル固定部材６より排水栓方向に移動自在となるように、ケーブル固定部材６に取り付けられている。なお、ピン４はケーブル固定部材６の遠隔操作用ケーブル２が取り付けられているのと反対側から摺動移動する。ケーブル固定部材６は、排水管Ｅｘの内部に密着する円筒部６１を備えており、その中央にアウターキャップ３が固定される固定部６２が形成されている。円筒部６１と固定部６２との間はフィン６３が連結されており、フィン６３は毛髪や糸くず等のごみを絡め取るごみ取りとしても機能する。
【００２４】
排水管Ｅｘの内部では、排水栓１を摺動可能に支持する排水栓支持部材７がケーブル固定部材６と隣り合うように固定されている。排水栓支持部材７は排水栓１の後述する凸部１２が摺動する貫通孔７１１を有する円筒状の本体部７１と、本体部７１の外壁面より突出し排水管Ｅｘの内面に固定される固定用羽根部７２とを備えている。なお、固定用羽根部７２は、本体部７１の周囲に周方向等間隔に４個備えられているが、これに限定されるものではなく、本体部７１及び排水栓１をしっかり固定できる個数とすることが可能である。また、固定用羽根部７２は毛髪や糸くずなどのごみを絡め取るごみ取り機能も同時に備えている。
【００２５】
排水栓１は排水管Ｅｘの端部の開口を塞ぐ円板状の蓋部１１と、蓋部１１の中央より蓋部１１と直交する方向に突出した凸部１２とを備えている。そして、排水栓１の凸部１２の蓋部１１と反対側の端部には、ピン４が接続する凹穴形状のピン接続部１２１が備えられている。凸部１２のピン接続部１２１には、ピン４の先端側が挿入接続されている。なお、ピン４とピン接続部１２１の接続は摩擦力だけで（はめあいによって）一定の力以下では抜けないように接続されていてもよく、ねじや引掛け構造を形成して機械的に抜けを予防するようにしてもよい。図１に示す排水栓構造Ａでは、摩擦によって接続する構造を備えている。このように排水栓１とピン４とを着脱できる構成にすることで、使用者がメンテナンスや掃除のときに排水栓１が邪魔にならず作業を容易に行うことができる。以上のように、ピン４と凸部１２のピン接続部１２１とが接続されているので、ピン４がインナーケーブル２２に押し引きされて移動することで、排水栓１を開閉する。
【００２６】
なお、図１の排水栓構造Ａにおいて、インナーケーブル２２、ピン４及び排水栓１の中心軸はそれぞれ一致しているとともに、排水管Ｅｘの中心軸と一致しているが、必ずしも一致していなくてもよく、インナーケーブル２２の摺動によりピン４及び排水栓１が持ち上げられる構成を広く採用することができる。しかしながら、排水栓１を持ち上げるときのバランスを考えると中心軸が一致していることが好ましい。
【００２７】
つぎに排水栓構造Ａの開閉動作について説明する。まず、排水栓１が開状態になる場合について説明する。遠隔操作によってインナーケーブル２２が動かされると、インナーケーブル２２の先端部がピン４を押す。このとき、インナーケーブル２２はコイルバネ５にガイドされてピン４を押し上げるように摺動する。また、ピン４もインナーケーブル収容部４１の内面をコイルバネ５に、外周部をアウターキャップ３のピンガイド部３３にガイドされ摺動する。ピン４がインナーケーブル２２に持ち上げられるとき、排水栓１もピン４とともに持ち上げられ、排水栓１は開いた状態（図１に示している開状態）となる。
【００２８】
排水栓構造Ａにおいて、開状態が続くとき、インナーケーブル２２がピン４及び排水栓１を押し上げ支持した状態を維持する。このとき、ピン４及び排水栓１はインナーケーブル２２の剛性によって押し上げ支持されている。開状態のとき、排水栓１の蓋部１１と排水管Ｅｘの端縁部との間に隙間ができており、この隙間から排水管Ｅｘに水が流れ込む。
【００２９】
次に遠隔操作によって排水栓１を閉じる動作について説明する。排水栓１はインナーケーブル２２によってピン４を介して押し上げられ開状態になっている。この状態で、遠隔操作しインナーケーブル２２を先端が引き込まれる方向に移動させる。これにより、ピン４及びピン４に接続された排水栓１に作用していたインナーケーブル２２からの支持力がなくなり、ピン４及び排水栓１は自重により降下する。排水栓１の蓋部１１は排水管Ｅｘの端縁部と接触し閉状態となる。
【００３０】
図２は図１に示す排水栓構造の要部を拡大した拡大断面図である。図２に示しているように、排水栓構造Ａにおいて、インナーケーブル２２のピン４の下端とアウターキャップ３のピンガイド部３３の奥部との間の中間部Ａｒ１に配置されている部分には、コイルバネ５が外嵌している。コイルバネ５はインナーケーブル２２が摺動するときの摺動ガイドとして作用している。
【００３１】
次にインナーケーブルの湾曲、座屈について図面を参照して説明する。排水栓構造Ａが開状態のとき、使用者が誤って排水栓１を踏んでしまったり、シャンプーボトルのような重い物体を落としてしまったりすると、排水栓１の蓋部１１に蓋部１１が閉じる方向の力Ｆ１が作用する。排水栓１に閉じる方向の力（図中Ｆ１）が作用すると、排水栓１を押し上げ支持しているインナーケーブル２２に圧縮力が作用する。インナーケーブル２２に圧縮力が作用すると、インナーケーブル２２は湾曲して圧縮力を逃がそうとする。インナーケーブル２２のインナーケーブル収容部４１内に収容されている部分では、インナーケーブル収容部４１の内周面で押えられるので、湾曲しにくい。
【００３２】
ピン４の下端とアウターキャップ３のインナーケーブル貫通孔３２との間の中間部Ａｒ１で、インナーケーブル２２が湾曲しようとすると、コイルバネ５の弾性力（図中Ｆ２）で復元される。すなわち、圧縮によるインナーケーブル２２を湾曲させる力はコイルバネ５の弾性力によって緩和され、インナーケーブル２２の湾曲が抑制されて、座屈が防止される。
【００３３】
インナーケーブル２２に作用する圧縮力が強い場合、コイルバネ５の弾性力では支えきれずインナーケーブル２２は中間部Ａｒ１で湾曲する場合もある。インナーケーブル２２が湾曲した場合であっても、コイルバネ５は弾性力で湾曲させる力が分散しているので、インナーケーブル２２の湾曲を小さく押えることが可能である。また、コイルバネ５の一部がインナーケーブル収容部４１の内部に収容されているので、インナーケーブル２２はインナーケーブル収容部４１の出口近傍でもコイルバネ５に保護されている。インナーケーブル２２が湾曲したとき、インナーケーブル収容部４１の出口において、インナーケーブル２２はコイルバネ５の弾性力Ｆ２で支えられ、折れ曲がりにくく、応力が集中しにくい。これにより、コイルバネ５が、インナーケーブル２２が湾曲したとき、インナーケーブル収容部４１の出口で応力が集中することでおきる座屈を防止している。
【００３４】
さらに、排水栓１に下向きの力が作用し排水栓１が下向きに移動すると、排水栓１と接続されているピン４も下向きに移動する。インナーケーブル２２が湾曲した状態でピン４が下方に移動した場合、ピン４の下端部はコイルバネ５と接触するが、インナーケーブル２２とは接触しない。これにより、インナーケーブル２２がピン４に巻き込まれ、インナーケーブル２２が座屈したり、ピン４の動作を妨げたりしにくくなる。
【００３５】
また、中間部Ａｒ１でインナーケーブル２２が湾曲したとき、コイルバネ５がインナーケーブル２２を湾曲させる力を分散させて支持しているので、インナーケーブル２２のコイルバネ５が外嵌していない部分、すなわち、インナーケーブル収容部４１に収容されている部分でインナーケーブル２２を湾曲させる力が集中しにくくなっている。これにより、インナーケーブル２２がインナーケーブル収容部４１内部で湾曲したり、座屈したりしにくい。
【００３６】
以上のことより、本発明にかかる排水栓構造Ａでは、排水栓１が開状態のとき、排水栓１に閉じる方向の力Ｆ１が作用した場合であっても、インナーケーブル２２の座屈を防止することができる。また、インナーケーブル２２が湾曲した場合であっても、インナーケーブル２２がピン４の移動に巻き込まれたり、ピン４の移動の邪魔をすることもない。
【００３７】
インナーケーブル２２が座屈したり、ピン４に巻き込まれにくいので、排水栓構造Ａは長期間にわたり、開閉動作を安定して行うことができる。また、排水栓構造Ａは構成部材が少なく、高い加工精度及び組み立て精度を要求する構成部材も少ないので、組み立てが容易である。
【００３８】
なお、コイルバネ５とインナーケーブル２２との隙間は、筒状弾性体と前記インナーケーブルの間隔が前記インナーケーブルの座屈を生じることが可能な間隔未満、つまり、インナーケーブル２２が座屈を生じない間隔であれば特に限定されるものではない。さらには、インナーケーブル２２の座屈を防止する機能を十分に発揮するため、インナーケーブル２２との隙間が無い或いは略無いもの、すなわち、インナーケーブル２２と密接したコイルバネ５であることが好ましい。そして、コイルバネ５のインナーケーブル２２との密接はインナーケーブル２２の摺動を妨げない程度のものであることが好ましい。
【００３９】
以上に示した排水栓機構Ａは、例えば浴槽、流し台、洗面ボウル等の水をためる容器の底部に配置されるものであるため、排水栓１の閉動作は、排水栓１及び排水栓１に接続されているピン４の自重で行われるものが記載されている。しかしながら、排水栓が容器の側面に設けられ、排水栓が自重で閉状態にならない場合、排水栓を閉じ方向に付勢する付勢部材が備えられていることが好ましい。付勢部材としては、例えば、バネ等の弾性体や磁力を用いたものを挙げることができる。
【００４０】
また、インナーケーブルとして、複数の金属線を撚った撚線を採用しているが、遠隔操作部からの操作力を軸方向に機械的に伝達させることができる線材を広く採用することが可能である。また、アウターケーシングとして筒状の本体部の内部に軸に沿って単数若しくは複数の金属線が埋設された構造のケーシングを採用しているが、これに限定されるものではなく、例えば、金属線をらせん状に巻きつけた構造のもの等、インナーケーブルの摺動を妨げず、なおかつ、インナーケーブルを保護できる構造のものを広く採用することができる。
【００４１】
さらに、コイルバネ５として、金属線を軸方向に密着するように巻回したコイル形状のばねを採用しているが、それに限定されるものではなく、インナーケーブル２２の湾曲を復元させる弾性力を備えているものを広く採用することができる。例えば、軸方向の隣と隙間ができるように形成しておき、排水栓１に荷重或いは衝撃が加わったとき圧縮され、ピン４に抗力が作用するように配置されていてもよい。このように、コイルバネ５でピン４に抗力を作用させることで、インナーケーブル２２に作用する圧縮力を低減し、座屈を防止することができる。なお、上述の例では、コイルバネ５を筒状弾性体の一例としているが、これに限定されるものではなく、ゴム等の弾性を有する材料で製造された円筒体を用いてもよい。
【産業上の利用可能性】
【００４２】
本発明は浴槽、洗面ボウル、流し台等の水をためる容器に備えられ、開閉することで容器内の水を排水することができる排水栓構造として利用可能である。
【符号の説明】
【００４３】
Ａ      排水栓構造
１      排水栓
１１    蓋部
１２    凸部
１２１  ピン接続部
２      遠隔操作用ケーブル
２１    アウターケーシング
２２    インナーケーブル
３      アウターキャップ
３１    アウターケーシング固定部
３２    インナーケーブル貫通孔
３３    ピンガイド部
４      ピン
４１    インナーケーブル収容部
５      コイルバネ（弾性筒状体）
６      ケーブル固定部材
６１    円筒部
６２    固定部
６３    フィン
７      排水栓支持部材
７１    本体部
７２    固定用羽根部
【図１】
2012012832.tif 000003
【図２】
2012012832.tif 000004
【図３】
2012012832.tif 000005